(57)【特許請求の範囲】
【請求項１】
管を曲げ型と締め型とにより挟持し、前記締め型を前記曲げ型の廻りに公転させて曲げ加工する曲げ加工装置において、
前記管の曲げ加工箇所を間にして前記管内に挿入される一対の遮断部材の一方を前記管内に挿入した支持軸に取り付け、他方を径方向には可撓性を有する連結部材に係止し、前記連結部材により一対の前記遮断部材を連結して軸方向の離間を規制すると共に、前記両遮断部材間に液体を注入して加圧する加圧機構を備え、加圧状態で曲げ加工することを特徴とする管の曲げ加工装置。
【請求項２】
前記遮断部材は軸方向に相対的に移動可能な一対の蓋部材と、該一対の蓋部材に挟持されたリング状の弾性部材とを備え、前記相対的な移動により前記弾性部材を前記管内周に押し付けることを特徴とする請求項１記載の管の曲げ加工装置。
【請求項３】
前記連結部材は一端が前記一方の遮断部材を貫通して抜け止めされたワイヤと、前記一対の遮断部材間の前記ワイヤに通された多数の球とを有し、前記ワイヤの他端をシリンダで駆動される駆動軸に締結したことを特徴とする請求項２記載の管の曲げ加工装置。
【発明の詳細な説明】
【０００１】
【発明の属する技術分野】
本発明は、管を曲げ型と締め型とにより挟持し、締め型を曲げ型の廻りに公転させて曲げ加工する管の曲げ加工装置に関する。
【０００２】
【従来の技術】
従来より、管の曲げ加工時に、断面変形や、しわの発生を抑えるために芯金が用いられている。芯金には種々のものがあるが、例えば、特開昭６３−２３５０２６号公報にあるように、径方向には伸縮可能で軸方向に伸長阻止部材を備えた可撓性の弾性チューブを管内に挿入し、このチューブに非圧縮性の流体を圧入した状態で曲げ加工を行い、断面変形やしわの発生を抑えるものが知られている。
【０００３】
【発明が解決しようとする課題】
しかしながら、こうした従来のものでは、弾性チューブがクッションとして作用して断面変形やしわの発生を十分に抑えることができず、また弾性チューブを径方向に伸縮可能で軸方向には伸長阻止部材を備えた構成としなければならず、構造が複雑であるという問題があった。
【０００４】
本発明の課題は、簡単な構造で有効に断面変形やしわの発生を抑えることができる管の曲げ加工装置を提供することにある。
【０００５】
【課題を解決するための手段】
本発明はかかる課題を解決するため、次の方法を取った。即ち、
管を曲げ型と締め型とにより挟持し、前記締め型を前記曲げ型の廻りに公転させて曲げ加工する曲げ加工装置において、
前記管の曲げ加工箇所を間にして前記管内に挿入される一対の遮断部材の一方を前記管内に挿入した支持軸に取り付け、他方を径方向には可撓性を有する連結部材に係止し、前記連結部材により一対の前記遮断部材を連結して軸方向の離間を規制すると共に、前記両遮断部材間に液体を注入して加圧する加圧機構を備え、加圧状態で曲げ加工することを特徴とする管の曲げ加工装置がそれである。
【０００６】
また、前記遮断部材は軸方向に相対的に移動可能な一対の蓋部材と、該一対の蓋部材に挟持されたリング状の弾性部材とを備え、前記相対的な移動により前記弾性部材を前記管内周に押し付けてもよく、更に、前記連結部材は一端が前記一方の遮断部材を貫通して抜け止めされたワイヤと、前記一対の遮断部材間の前記ワイヤに通された多数の球とを有し、前記ワイヤの他端をシリンダで駆動される駆動軸に締結してもよい。
【０００７】
【発明の実施の形態】
以下本発明の実施の形態を図面に基づいて詳細に説明する。
図２に示すように、１は装置本体で、装置本体１の前側には曲げ半径に応じて形成された曲げ型２が配置されており、この曲げ型２の外周には管４の外径に応じた溝６が形成されている。曲げ型２に対向して締め型８が曲げ型２に接近・離間可能に曲げアーム９上に支持されており、締め型８を曲げ型２に接近させて、曲げ型２の溝６と締め型８に形成された溝１０とにより、管４を挟持することができるようにされている。
【０００８】
また、曲げアーム９は曲げ型２の中心Ｃの廻りに回転駆動され、管４を挟持した状態で締め型８を、図２の矢印方向に、曲げ型２の廻りに公転させて管４を曲げ加工できるようにされている。このときの曲げ反力を受ける圧力型１２が締め型８に隣接して配置されている。
【０００９】
装置本体１上には、管４の軸方向に沿って一組のレール１４，１５が敷設されており、レール１４，１５には、移動台１６がレール１４，１５に沿って移動可能に係合され、図示しない駆動機構によりレール１４，１５に沿って移動されるように構成されている。
【００１０】
管４を把持するチャック機構２０が、移動台１６に搭載されており、チャック機構２０はチャック本体２２に放射状に移動可能に支持され、供給される圧力流体により管４に向かって移動する３個の爪２４，２５（一部のみ図示する）により管４の外周を把持する構成のものである。
【００１１】
チャック本体２２は、図３に示すように、移動台１６にベアリング２６，２７により支持された回転軸２８の前端面に固定されている。回転軸２８の後端には、プーリ３０が固定されており、プーリ３０に掛けられたベルト３１を介して、移動台１６上に搭載されたモータ３２により回転軸２８を所定角度回転することができるように構成されている。
【００１２】
一方、装置本体１の後側には、支持部材３８が立設されており、支持部材３８には、管４と同軸上に配置された中空の支持軸４０の一端が固定されている。支持軸４０の先端は、回転軸２８を貫通して、管４の他端側から管４内に挿入されており、支持軸４０の先端は曲げ型２の中心Ｃ近傍にまで延出されている。支持軸４０の外径は、管４に挿入できる程度に形成されている。
【００１３】
支持軸４０の先端には、第１蓋部材４２が螺着されており、第１蓋部材４２には軸方向に摺動孔４４が貫設されている。摺動孔４４には、第２蓋部材４６が摺動可能に挿入されており、また、第１蓋部材４２と第２蓋部材４６とによりリング状の弾性部材４８が挟持されている。
【００１４】
弾性部材４８の外径は、管４の内周に軽く接触するか、あるいは、管４内周よりも少し小さく形成されて、管４の内周に容易に挿入できるように形成されている。そして、第１蓋部材４２と第２蓋部材４６との相対的な軸方向の移動により、弾性部材４８が押圧されると径方向に膨張し、弾性部材４８が管４の内周に押し付けられるように形成されている。これら第１蓋部材４２、第２蓋部材４６、弾性部材４８により第１遮断部材５０が形成されている。
【００１５】
第１遮断部材５０に対向して、対をなす第２遮断部材５２が管４内に挿入されており、第１遮断部材５０と第２遮断部材５２とは、管４の曲げ加工の際に曲げられる箇所の全長がその間に入る距離に配置されている。そして、第２遮断部材５２は、管４の先端側の第１蓋部材５４と第１遮断部材５０側の第２蓋部材５６とを備え、第１蓋部材５４と第２蓋部材５６とには、リング状の弾性部材５８が挟持されている。第１蓋部材５４と第２蓋部材５６とは、隙間を空けて配置されており、相対的に移動できるようにされている。この弾性部材５８も前述した弾性部材４８と同様に形成されている。
【００１６】
第１蓋部材５４には、管４先端側から有底孔６０が形成されており、有底孔６０には弾性を有するシール部材６２が挿入されている。一端に止め具６４がかしめられて抜け止めされたワイヤ６６にシール球６８が通されて、また、ワイヤ６６がシール部材６２、第１蓋部材５４、第２蓋部材５６を通されて第１遮断部材５０側に延出されている。
【００１７】
ワイヤ６６の他端は、第１遮断部材５０の第２蓋部材４６を貫通すると共に、第２蓋部材５６と第２蓋部材４６との間のワイヤ６６には、更に、硬質のゴム球６９が通された後、多数の鋼球７０が隙間なく接触するようにして通されている。また、ゴム球６９と鋼球７０とには、第２蓋部材５６と第２蓋部材４６との間の全域にわたってウレタン製の弾性管７２が被せられている。
【００１８】
第２蓋部材４６には、ワイヤ６６と同軸上に支持軸４０側から挿入孔７４が形成されており、挿入孔７４には中空の駆動軸７６が摺動可能に挿入されると共に、Ｏリング７８により漏れ止めが図られている。駆動軸７６の先端には、ピン８０が径方向に挿入されており、このピン８０にワイヤ６６が巻掛けられると共に、止め具８２がかしめられて、ワイヤ６６が締結されている。尚、本実施例では、止め具６４、ワイヤ６６、シール球６８、シール部材６２、ゴム球６９、鋼球７０、弾性管７２、止め具８２により連結部材８３が構成されている。
【００１９】
また、第２蓋部材４６には、第１遮断部材５０と第２遮断部材５２とにより区画された作用室Ａと、挿入孔７４と、を連通する供給孔８４が下方に向かって貫通形成されており、第２蓋部材４６の上側には、中空の支持軸４０と駆動軸７６との間の通路４０ａと作用室Ａとを連通した排気孔８６が形成されている。
【００２０】
駆動軸７６の後端は、支持部材３８に設けられたシリンダ８８に連結されており、支持部材３８には支持軸４０の通路４０ａに連通した接続孔９０が形成されており、接続孔９０は所定圧力の液体を供給する圧力源９２の吸入側に接続されている。また、圧力源９２の吐出側は、中空の駆動軸７６内の通路７６ａに接続されている。尚、本実施例では、支持軸４０、駆動軸７６、挿入孔７４、供給孔８４、排気孔８６、接続孔９０、圧力源９２により加圧機構９４が形成されている。圧力源９２から供給される液体は、作動油、水等の非圧縮性の流体であればよい。
【００２１】
次に、前述した本実施例の管の曲げ加工装置の作動について説明する。
まず、管４内に第２遮断部材５２と第１遮断部材５０とを入れ、管４を支持軸４０に沿って挿入し、管４の端を回転軸２８に突き当てる。その際、第２遮断部材５２は、弾性管７２に支持軸４０と一直線上に支持されているので、第２遮断部材５２を管４に容易に入れることができる。
【００２２】
移動台１６がレール１４，１５に沿って移動され、管４を曲げ型２と締め型８との間に供給する。そして、管４の曲げ加工箇所を曲げ型２に応じた位置にまで移動した後、移動台１６の移動を停止し、チャック機構２０に圧力流体を供給して、爪２４，２５を管４に向かって移動させる。この爪２４，２５により管４の外周が押圧され、管４が爪２４，２５と支持軸４０とにより把持される。
【００２３】
次に、シリンダ８８を駆動して駆動軸７６を図３の右方向に移動する。これにより、ワイヤ６６が引かれて、止め具６４、シール球６８、シール部材６２を介して第１蓋部材５４が第２蓋部材５６に接近する方向に移動される。更に、第１蓋部材５４、弾性部材５８、第２蓋部材５６、ゴム球６９、多数の鋼球７０を介して、第２蓋部材４６が第１蓋部材４２に接近する方向に移動される。
【００２４】
よって、両弾性部材４８，５８が軸方向に押圧されて、径方向に膨張され、管４の内周に押し付けられる。これにより、第１遮断部材５０と第２遮断部材５２との間の作用室Ａが遮断され、圧力源９２からの液体が駆動軸７６の通路７６ａ、挿入孔７４を介して供給孔８４から吐出される。
【００２５】
そして、第１遮断部材５０と第２遮断部材５２との間の空気は、排気孔８６、支持軸４０の通路４０ａ、接続孔９０を介して排気される。第１遮断部材５０と第２遮断部材５２との間の作用室Ａに液体が充満され、所定圧まで加圧される。この液体の圧力の作用を両第２蓋部材４６，５６が受けて、両第１蓋部材４２，５４に接近する方向に移動して、両弾性部材４８，５８を押圧して更に管４の内周に押し付けて、漏れ止めをより確実なものとする。また、同時にゴム球６９とシール球６８及びシール部材６２とにより、ワイヤ６６と第２蓋部材５６、第１蓋部材５４との間の漏れ止めが行われる。
【００２６】
続いて、締め型８を曲げ型２に向かって移動させて、曲げ型２と締め型８とにより管４を挟持すると共に、圧力型１２を管４の外周に接触させる。曲げアーム９を回転させて、締め型８を曲げ型２の廻りに公転させ、図４に示すように、管４を曲げ型２の形状に応じて曲げ加工する。連結部材８３は、ワイヤ６６が第１遮断部材５０と第２遮断部材５２とが離間しようとするのを阻止し、曲げに応じて鋼球７０によりゴム球６９が圧縮されつつ、ワイヤ６６、弾性管７２が曲がる。
【００２７】
その際、圧力源９２により管４の内周には所定圧が加えられると共に所定圧が維持され、曲げ加工箇所の全域にわたって加圧される。よって、管４には断面を円形に維持しようとする作用力が働き、また、作用室Ａには、非圧縮性である液体が充満しているので、作用室Ａの容積の減少を阻止しようとする作用力も働くので、管４の断面変形やしわの発生が曲げ加工箇所の全域にわたって防止される。このように、単純な構造により、管４の断面変形やしわの発生を抑えながら曲げ加工できる。
【００２８】
締め型８を曲げ型２の廻りに所定角度公転させて曲げ加工した後、締め型８を曲げ型２から離間してから逆方向に公転させて元の位置に戻す。そして、シリンダ８８を駆動して、駆動軸７６を図３の左側に移動して、ワイヤ６６を緩めると共に、圧力源９２による加圧を停止する。
【００２９】
よって、両弾性部材４８，５８と管４の内周とが摺動できるようになり、移動台１６を移動して管４の次の曲げ加工箇所を曲げ型２に応じた位置に移動する。その際、曲げ方向が異なる場合には、モータ３２を駆動して、ベルト３１、プーリ３０、回転軸２８、チャック機構２０を介して管４を回転させる。そして、ワイヤ６６を引くと共に、圧力源９２から所定圧の液体を供給して、再び前述したように、締め型８と曲げ型２とにより管４を挟持して曲げ加工する。
【００３０】
次に、前述した実施例と異なる第２実施例の管の曲げ加工装置について、図５によって説明する。尚、前述した実施例と同じ部材については同一番号を付して詳細な説明を省略する。
支持軸４０の先端には、第１遮断部材１００が螺着されており、第１遮断部材１００の外周には、Ｏリング１０２が嵌着されて管４内周との間の漏れ止めが図られている。第１遮断部材１００と曲げ加工箇所を間にして、第２遮断部材１０４が配置されており、第２遮断部材１０４の外周には、Ｏリング１０６が嵌着されて管４内周との間の漏れ止めが図られている。
【００３１】
第２遮断部材１０４には、管４の先端側からねじ孔１０８、ねじ孔１０８に連接した収納孔１１０が形成されており、ワイヤ６６の一端の止め具６４が収納孔１１０に収納され、ワイヤ６６は第２遮断部材１０４を貫通して第１遮断部材１００側に延出されている。ねじ孔１０８には、プラグ１１２が螺入されて、漏れ止めが図られている。
【００３２】
第１遮断部材１００には、支持軸４０側から挿入孔１１４、挿入孔１１４に連接した収納孔１１６が形成されており、挿入孔１１４には中空の駆動軸１１８が挿入されている。この駆動軸１１８は支持部材３８に固定されており、軸方向に移動しない。
【００３３】
そして、ワイヤ６６の他端は、第１遮断部材１００を貫通されて、止め具１２０がかしめにより取り付けられて、収納孔１１６に収納されている。第１遮断部材１００と第２遮断部材１０４との間のワイヤ６６には弾性管７２が被せられている。この弾性管７２は、ウレタン等のものでもよく、第２遮断部材１０４を支持軸４０と同軸上に支持できるものであれば、コイルスプリング等であっても実施可能である。
【００３４】
この第２実施例では、第２遮断部材１０４が弾性管７２により支持軸４０と同軸上に支持されるので、管４に第２遮断部材１０４を容易に挿入できる。次に、第１遮断部材１００を挿入し、圧力源９２から供給される液体は、駆動軸１１８の通路１１８ａから、収納孔１１６、供給孔８４を介して第１遮断部材１００と第２遮断部材１０４との間の作用室Ａ内に供給される。そして、作用室Ａ内の空気は、排気孔８６、支持軸４０の通路４０ａを通り、外部に排気される。
【００３５】
圧力源９２からの所定圧の液体により、管４を内周から加圧し、この状態で前述した実施例と同様に、管４を曲げ型２と締め型８とにより挟持して、締め型８を曲げ型２の廻りに公転して曲げ加工する。前述した実施例に比べて、管４の肉厚が薄く、圧力源９２から供給される液体の所定圧が低くてもよい場合や、Ｏリング１０２，１０６の耐久性等が問題とならない場合には、この第２実施例により、管４の断面変形やしわの発生をより簡単な構造で防止できる。
【００３６】
以上本発明はこの様な実施例に何等限定されるものではなく、本発明の要旨を逸脱しない範囲において種々なる態様で実施し得る。
【００３７】
【発明の効果】
以上詳述したように本発明の管の曲げ加工装置は、管を内周から、しかも管の曲げ加工箇所の全域にわたって加圧した状態で曲げ加工することができるので、曲げ加工時の管の断面変形やしわの発生を有効に防止できる。また、遮断部材が一対の蓋部材とリング状の弾性部材とを備えることにより、供給される液体の圧力を利用して漏れ止めを図ることもできる。更に、連結部材にワイヤを用いたものでは、ワイヤをシリンダにより引くことによりリング状の弾性部材を押圧して漏れ止めを図ることができる。
【図面の簡単な説明】
【図１】本発明の一実施例としての管の曲げ加工装置の要部拡大断面図である。
【図２】本実施例の管の曲げ加工装置の全体斜視図である。
【図３】本実施例の管の曲げ加工装置の概略構成図である。
【図４】本実施例の締め型を曲げ型の廻りに公転して曲げ加工している状態の拡大断面図である。
【図５】第２実施例の管の曲げ加工装置の要部拡大断面図である。
【符号の説明】
１…装置本体            ２…曲げ型
４…管                  ８…締め型
１２…圧力型            ４０…支持軸
４２，５４…第１蓋部材  ４６，５６…第２蓋部材
４８，５８…弾性部材
５０，１００…第１遮断部材
５２，１０４…第２遮断部材
６６…ワイヤ            ７２…弾性管
７６，１１８…駆動軸    ８３…連結部材
９２…圧力源            ９４…加圧機構
【図１】
0003773307.tif 000002
【図２】
0003773307.tif 000003
【図３】
0003773307.tif 000004
【図４】
0003773307.tif 000005
【図５】
0003773307.tif 000006